(57)【要約】  情報端末から乗降地点情報のリクエストをすると、乗降したことのないエリアや様々な条件変化にかかわらず、好適な乗降地点の情報を提供すること。  プローブ車両群（４）と、データサーバー（２）と、車載オンボードユニット（１）やモバイル端末器（３）と、を備える乗降地点提供システムである。データサーバー（２）は、プローブ車両群（４）から送信される車両データを入力すると、車両データのうち車両への乗車又は車両からの降車に適した乗降地点を抽出し、乗降地点情報データベースとして更新しながら記憶する。車載オンボードユニット（１）やモバイル端末器（３）から乗降地点情報のリクエストを受信すると、乗降地点情報データベースに蓄積された乗降地点情報に基づいて、リクエスト条件に適合する乗降地点を検索し、乗降地点を含む検索結果を車載オンボードユニット（１）やモバイル端末器（３）へ送信する。
2020079746.tif 000002
【特許請求の範囲】
【請求項１】
プローブ車両群と、データサーバーと、情報端末と、を備える乗降地点提供システムであって、
前記データサーバーは、前記プローブ車両群から送信される車両データを入力すると、前記車両データのうち車両への乗車又は車両からの降車に適した乗降地点を抽出し、乗降地点情報データベースとして更新しながら記憶し、
前記情報端末から乗降地点情報のリクエストを受信すると、前記乗降地点情報データベースに蓄積された乗降地点情報の中からリクエスト条件に適合する乗降地点を検索し、前記乗降地点を含む検索結果を前記情報端末へ送信する
ことを特徴とする乗降地点提供システム。
【請求項２】
プローブ車両群から送信される車両データを入力するデータサーバーであって、
前記プローブ車両群の車両が停車した際の停車地点を含む乗降データを取得する乗降データ取得部と、
前記乗降データ取得部からの乗降データの停車地点に基づき、乗車地点又は降車地点として指定可能な乗降地点を抽出する乗降地点抽出部と、
前記乗降地点抽出部により抽出された前記乗降地点を乗降地点情報データベースとして更新して記憶する乗降地点情報データベース記憶部と、
前記乗降地点情報のリクエストを受信すると、前記乗降地点情報データベースを用いて検索された乗降地点を含む検索結果を送信する乗降地点送信部と、を有する
ことを特徴とするデータサーバー。
【請求項３】
請求項２に記載されたデータサーバーにおいて、
前記乗降データは、少なくとも車両が停車をしていた停車時間である停車データを含み、
前記乗降地点情報データベース記憶部は、前記停車時間が所定時間より長い場合に、前記停車データを乗降地点情報データベースに記憶する
ことを特徴とするデータサーバー。
【請求項４】
請求項３に記載されたデータサーバーにおいて、
前記乗降データは、少なくとも車両が停車した日時及び、乗車又は降車地点を有する日時/位置情報データを含み、
前記乗降地点情報データベース記憶部は、前記日時/位置情報データを乗降地点情報データベースに記憶する
ことを特徴とするデータサーバー。
【請求項５】
請求項４に記載されたデータサーバーにおいて、
前記乗降データは、車両が停車をしていた際の天候データを含み、
前記乗降地点情報データベース記憶部は、前記天候データを乗降地点情報データベースに記憶し、
前記検索結果には、前記乗降地点に関連付けられた前記天候データが含まれる
ことを特徴とするデータサーバー。
【請求項６】
請求項３から５までの何れか一項に記載されたデータサーバーにおいて、
前記検索結果は、前記乗降地点の前記停車データに応じた停車時間レベルを視覚的に示す情報を含む
ことを特徴とするデータサーバー。
【請求項７】
請求項３から６までの何れか一項に記載されたデータサーバーにおいて、
前記乗降データは、車両が停車をしていた際に開閉したドアの位置又は開閉時間に関するドア開閉データを含み、
前記乗降地点情報データベース記憶部は、前記ドア開閉データを乗降地点情報データベースに記憶する
ことを特徴とするデータサーバー。
【請求項８】
請求項３から７までの何れか一項に記載されたデータサーバーにおいて、
前記乗降データは、停車した車両の属性に関する情報である属性データを含み、
前記乗降地点送信部は、前記乗降地点候補が複数ある場合、前記車両の属性データを参照し、配車予定の車両よりもサイズの小さい車両しか停車していない乗降地点を、前記乗降地点候補として含めることなく、前記検索結果を送信する
ことを特徴とするデータサーバー。
【請求項９】
プローブ車両群と、データサーバーと、情報端末と、の間での通信による乗降地点提供方法であって、
前記プローブ車両群から送信される車両データを前記データサーバーが受信すると、前記データサーバーは、車両データのうち車両への乗車又は車両からの降車に適した乗降地点を抽出し、
前記乗降地点として抽出された情報により生成した乗降地点情報データベースを、前記データサーバーに更新しながら記憶し、
前記情報端末から前記データサーバーに対して乗降地点情報のリクエストを送信すると、リクエストを受信した前記データサーバーは、前記乗降地点情報データベースに蓄積された乗降地点情報の中からリクエスト条件に適合する乗降地点を検索し、
前記乗降地点が検索されると、前記データサーバーから前記情報端末に対して検索された前記乗降地点を含む検索結果を送信する
ことを特徴とする乗降地点提供方法。
【発明の詳細な説明】
【技術分野】
【０００１】
本開示は、車両の乗降地点情報を提供するための乗降地点提供システム、データサーバー及び乗降地点提供方法に関する。
【背景技術】
【０００２】
従来、待ち合わせをする者のスケジュールをあらかじめ入力しておくことなく、将来における適切な待ち合わせ場所を決定する待ち合わせ場所決定装置およびその方法が知られている（例えば、特許文献１参照）。この待ち合わせ場所決定装置は、複数人の移動履歴を取得する移動履歴取得部と、移動履歴における共通位置を抽出する共通位置情報検出部と、抽出した共通位置に基づいて待ち合わせ場所を決定する待ち合わせ場所決定部とを備える。
【先行技術文献】
【特許文献】
【０００３】
【特許文献１】特開２００６−２４１９４号公報
【発明の概要】
【発明が解決しようとする課題】
【０００４】
従来装置にあっては、今回の利用者間の移動履歴をベースにしているため、そもそも行ったことのない場所での待ち合わせに対して情報を提供できない。また、待ち合わせ場所として滞在時間のみで決めているため、車両のサイズや、ドア開閉のしやすさなど、ニーズによって変わる条件に対応することができない、という課題があった。【０００５】
本開示は、上記課題に着目してなされたもので、情報端末から乗降地点情報のリクエストをすると、乗降したことのないエリアや様々な条件変化にかかわらず、好適な乗降地点の情報を提供することを目的とする。
【課題を解決するための手段】
【０００６】
上記目的を達成するため、本開示は、プローブ車両群と、データサーバーと、情報端末と、を備える乗降地点提供システムである。
データサーバーは、プローブ車両群から送信される車両データを入力すると、車両への乗車又は車両からの降車に適した乗降地点を抽出し、乗降地点情報データベースとして更新しながら記憶する。
情報端末から乗降地点情報のリクエストを受信すると、乗降地点情報データベースに蓄積された乗降地点情報の中からリクエスト条件に適合する乗降地点を検索し、乗降地点を含む検索結果を情報端末へ送信する。
【発明の効果】
【０００７】
このため、情報端末から乗降地点情報のリクエストをすると、乗降したことのないエリアや様々な条件変化にかかわらず、好適な乗降地点の情報を提供することができる。
【図面の簡単な説明】
【０００８】
【図１】実施例１の乗降地点提供システム、データサーバー及び乗降地点提供方法が適用されたシステム全体構成を示すシステム構成概要図である。
【図２】乗降地点提供システムにおける車載オンボードユニットの構成を示すブロック図である。
【図３】乗降地点提供システムにおけるデータサーバーの構成を示すブロック図である。
【図４】乗降地点提供システムにおけるモバイル端末の構成を示すブロック図である。
【図５】プローブ車両からの乗降データの送信動作を示す動作フロー図である。
【図６】プローブ車両群から乗降データを受信したデータサーバーでの乗降地点情報データベースの生成動作を示す動作フロー図である。
【図７】ユーザからのリクエスト入力に基づいてデータサーバーから送信された乗降地点情報データを受信したときの乗降地点情報の画面表示動作を示す動作フロー図である。
【図８】受信データによる乗降地点のリスト表示の一例を示すリスト表示図である。
【図９】受信データによる乗降地点の地図表示の一例を示す地図表示図である。
【発明を実施するための形態】
【０００９】
以下、本開示による乗降地点提供システム、データサーバー及び乗降地点提供方法を実施するための形態を、図面に示す実施例１に基づいて説明する。
【実施例１】
【００１０】
実施例１における乗降地点提供システムは、一台一台の車両をセンサとして活用することで膨大なプローブ情報を収集し、様々な情報の共有を可能とするプローブ情報システムの一部として組み込まれている。以下、実施例１の構成を、「全体システム構成」、「車載オンボードユニットの詳細構成」、「データサーバーの詳細構成」、「モバイル端末器の詳細構成」に分けて説明する。【００１１】
［システム全体構成］
図１は、実施例１の乗降地点提供システム、データサーバー及び乗降地点提供方法が適用されたシステム全体構成を示す。以下、図１に基づいてシステム全体構成を説明する。【００１２】
乗降地点提供システムは、図１に示すように、車載オンボードユニット１（情報端末：車載端末）と、データサーバー２と、モバイル端末器３（情報端末：携帯端末）と、プローブ車両群４と、を備える。本乗降地点提供システムは、車両と乗員の待ち合わせ場所を決定するサービスに適用できる。例えば、待ち合わせ場所において車両に乗客（乗員）を乗せて移動サービスを提供するタクシーサービスにも適用できる。あるいは、待ち合わせ場所から乗員（運転手）が車両の運転を開始する、いわゆるレンタカーまたはカーシェアサービスにも適用可能である。【００１３】
車載オンボードユニット１は、乗降地点情報を利用するロボットタクシー等のプローブ車両４ｐに搭載され、乗降地点情報を含む車両データを送信するプローブ車両機能と、リクエスト条件に適合する乗降地点情報を受信する車載情報端末機能とを有する。【００１４】
ここで、プローブ車両４ｐとは、プローブ情報システムでセンサの役割を果たすプローブ車両群４を構成する多数のプローブ車両４ａ、４ｂ、４ｃ、４ｄ、４ｅ…４ｚ等に含まれる一台の車両をいう。【００１５】
プローブ車両機能とは、例えば、走行や停車による車両データを所定時間蓄積すると、蓄積した車両データをデータサーバー２に送信する機能をいう。例えば、車両のドア開閉をイベントとして、前後の車両の挙動や状態を基に、乗降イベントを抽出し、データサーバー２に乗降地点情報を含む車両データを送信する。【００１６】
車載情報端末機能とは、乗降地点情報のリクエストを送信するとリクエスト条件に適合する乗降地点情報を受信する機能をいう。ここで、「乗降地点情報のリクエスト」には、ロボットタクシー等のように車載されている配車システムが必要とする乗降地点情報をリクエストするシステム要求と、ドライバーの入力操作によるドライバー要求を含む。【００１７】
データサーバー２は、プローブ情報システムにおける情報管理センターに固定して設置され、プローブ車両群４から送信される膨大な車両データを受信し、受信した車両データを、例えば、情報利用種別に区分して記録する。データサーバー２は、乗降地点情報のデータベース記憶機能と、乗降地点情報の検索/送信機能とを有する。【００１８】
ここで、データベース記憶機能とは、プローブ車両群４から送信される車両データを入力すると、車両データのうち車両への乗車又は車両からの降車に適した乗降地点を分析抽出してデータベース化した乗降地点情報データベースを記憶する機能をいう。乗降地点情報データベースの記憶は、プローブ車両群４から次々と送信される車両データを新たに入力すると、新たな入力データに基づいて乗降地点を分析抽出し、乗降地点情報データベースの記憶内容を学習制御の手法により更新する。なお、乗降地点の分析抽出では、プローブ車両群４の乗降イベントに基づく分析により、乗降地点と利用傾向を抽出する。【００１９】
検索/送信機能は、情報端末から乗降地点情報のリクエストを受信すると、乗降地点情報データベースに蓄積された乗降イベント情報に基づいて、リクエスト条件に適合する乗降地点を検索し、乗降地点を含む検索結果を情報端末へ送信する。つまり、各利用者の状態や検索条件に基づいて、乗降地点を含む必要情報を提案する。なお、情報端末には、車載オンボードユニット１による車載端末と、モバイル端末器３による携帯端末を含む。【００２０】
モバイル端末器３は、乗降地点情報の利用者が携帯する情報端末であり、乗降地点情報のリクエストを送信すると、リクエスト条件に適合する乗降地点を含む検索結果を受信する。受信した乗降地点を含む検索結果は、モバイル端末器３の画面に表示（リスト表示、地図表示）される。【００２１】
［車載オンボードユニットの詳細構成］
図２は、乗降地点提供システムにおける車載オンボードユニット１の構成を示す。以下、図２に基づいて車載オンボードユニット１の詳細構成を説明する。【００２２】
車載オンボードユニット１は、図２に示すように、ＧＰＳ１０１と、ナビゲーション装置１０２と、ドア開閉センサ１０３と、乗員感知センサ１０４と、車両状態センサ１０５と、を備えている。加えて、乗降状態推定部１０６と、利用履歴記録部１０７と、通信部１０８と、リクエスト入力部１０９と、情報提供部１１０と、を備えている。【００２３】
ＧＰＳ１０１は、プローブ車両４ｐの現在地情報（緯度・経度）を取得する。なお、「ＧＰＳ」は、「Global Positioning System」の省略である。ナビゲーション装置１０２は、地図データ上で現在地から目的地までの経路を算出し、プローブ車両４ｐが道路のどの位置を走行しているかの経路案内を行う。そして、ＧＰＳ１０１とナビゲーション装置１０２によって、乗降イベントが起きている地図上でのプローブ車両４ｐの位置を特定することができる。【００２４】
ドア開閉センサ１０３、乗員感知センサ１０４、車両状態センサ１０５は、乗降状態推定部１０６によりプローブ車両４ｐでの乗降イベントが起きているかを判定するためのセンサ類である。ドア開閉センサ１０３は、各ドアに設けられ、ドアの開閉状況を検出する。乗員感知センサ１０４は、カメラでの認証やシートベルトでの判定などの様々な方法により、乗降に伴う乗員数の変更を検知する。車両状態センサ１０５は、車両の車速やシフト状態などの情報を取得するセンサである。【００２５】
ここで、乗降状態推定部１０６は、プローブ車両４ｐが停車してドアが開けられた後、乗員数の増加があると乗車イベントが起きていると判定する。一方、プローブ車両４ｐが停車してドアが開けられた後、乗員数の減少があると降車イベントが起きていると判定する。【００２６】
利用履歴記録部１０７は、乗降状態推定部１０６からの乗降イベントが行われた地点の記録を行う。この利用履歴記録部１０７では、車両の移動履歴、走行履歴、及び乗降状態履歴を学習しておき、データサーバー２に必要な情報を送る。【００２７】
通信部１０８は、車載オンボードユニット１がプローブ車両機能を発揮する場合、利用履歴記録部１０７に記録された乗降イベントが行われた乗降地点情報を送信する。通信部１０８は、車載オンボードユニット１が車載端末機能を発揮する場合、乗降地点情報のリクエストを送信し、データサーバー２からの乗降地点検索結果を受信する。【００２８】
リクエスト入力部１０９は、リクエスト入力操作を行えるタッチパネルやボタン類などを有する。情報提供部１１０は、乗降地点検索結果をユーザに提示できる液晶画面などを有する。【００２９】
［データサーバーの詳細構成］
図３は、乗降地点提供システムにおけるデータサーバー２の構成を示す。以下、図３に基づいてデータサーバー２の詳細構成を説明する。【００３０】
データサーバー２は、図３に示すように、通信部２０１と、利用履歴蓄積部２０２と、乗降状態判定部２０３と、乗降地点分析部２０４（乗降地点抽出部）と、天候情報取得部２０５と、乗降地点情報データベース記憶部２０６と、を備える。そして、乗降地点検索部２０７（乗降地点送信部）と、乗降地域決定部２０８と、を備える。【００３１】
通信部２０１は、各種デバイスと通信を行う。データサーバー２が乗降地点情報のデータベース記憶機能を発揮する場合、プローブ車両群４からの車両データを受信し、利用履歴蓄積部２０２へ出力する。データサーバー２が乗降地点情報の検索/送信機能を発揮する場合、情報端末からのリクエストを受信し、乗降地点検索部２０７と乗降地域決定部２０８へ出力する。そして、乗降地点検索部２０７と乗降地域決定部２０８からの乗降地点検索結果と乗降地域決定結果を情報端末へ送信する。この通信部２０１は、少なくともプローブ車両群４の車両が停車した際の停車地点を含む乗降データを取得する乗降データ取得部に相当する。【００３２】
利用履歴蓄積部２０２は、プローブ車両群４からの送信により通信部２０１を介して入力された乗降イベント等の車両データを蓄積する。【００３３】
乗降状態判定部２０３は、利用履歴蓄積部２０２に蓄積されている車両データに基づいて分析対象になる乗降状態かどうかを判定する。具体的には、乗降地点として適合/不適合の何れかであるかの判定を行い、不要な不適合判定データを排除する。【００３４】
乗降地点分析部２０４は、乗降状態判定部２０３からの乗降イベント情報と天候情報取得部２０５からの天候情報を入力し、乗降地点ごとの特性について統計分析を行う。この乗降地点分析部２０４では、他の車両の乗降履歴を含めて分析することで、不特定多数の人が利用できる乗車地点又は降車地点として指定可能な乗降地点を抽出する。なお、天候情報取得部２０５は、乗降地点のイベントがあった日時での天候を取得する。【００３５】
乗降地点情報データベース記憶部２０６は、乗降地点分析部２０４からの分析結果を保存しておく。この乗降地点情報データベース記憶部２０６では、乗降地点分析部２０４による分析結果に基づいて抽出された乗降地点情報をデータベース化し、乗降地点情報データベースを更新して記憶する。ここで、「乗降地点情報データベース」は、乗降地点ごとに分析された傾向を保存したデータベースである。【００３６】
乗降地点検索部２０７は、乗降地点情報のリクエストが受信されると、乗降地点情報データベース記憶部２０６に記憶されている乗降地点情報データベースを用いて有益な乗降地点を検索し、検索結果（乗降地点リストなど）を通信部２０１へ出力する。この乗降地点検索部２０７では、ユーザから指定された検索したいリクエスト条件に合った乗降地点を検索する。【００３７】
乗降地域決定部２０８は、２ユーザ間で適切な乗降地域を取得する際に２ユーザの現在位置をもとにした乗降エリアの決定を行う。【００３８】
［モバイル端末器の詳細構成］
図４は、乗降地点提供システムにおけるモバイル端末の構成を示す。以下、図４に基づいてモバイル端末器３の詳細構成を説明する。【００３９】
モバイル端末器３は、図４に示すように、ＧＰＳ３０１と、リクエスト入力部３０２と、通信部３０３と、情報提供部３０４と、を備えている。【００４０】
ＧＰＳ３０１は、モバイル端末器３を持っているユーザの現在地情報（緯度・経度）を取得する。リクエスト入力部３０２は、ユーザによりリクエスト入力操作を行えるタッチパネル画面などを有する。通信部３０３は、乗降地点情報のリクエストを送信し、データサーバー２からの乗降地点検索結果を受信する。情報提供部３０４は、検索結果をモバイル端末器３の画面にリスト表示や地図表示する。【００４１】
次に、実施例１の作用を、「背景技術と要求解決対策」、「プローブ車両の送信動作」、「データサーバーでの乗降情報データベース生成動作」、「情報端末への乗降地点情報提供動作」、「プローブ車両の停車時記録内容に対する処理作用」に分けて説明する。【００４２】
［背景技術と要求解決対策］
駅周辺などの待ち合わせでは、行ったことがない場所であったり停車できる場所を知らないところも多く、停車できる場所を探したり、ある程度の時間待っていられる場所を探したりすることが考えられる。【００４３】
また、車両サイズが大型であることによる移動しにくい、車両が後から来るためにすぐに乗降できる、人が多い、荷物の関係で乗降に時間がかかる、などのように、車両へ乗降する場合、その時々で優先すべき条件が異なる。【００４４】
このように、乗降したことのないエリアや様々な条件変化にかかわらず、好適な乗降地点の情報を提供できるシステムが要求されている。特に、ロボットタクシーにおいては、空車のときに乗車地点で乗客を乗せ、実車のときに降車地点で乗客を降ろす必要がある。また、自動運転車は、目標走行経路を生成するために乗員が乗降する停車地点を決める必要がある。よって、ロボットタクシーや自動運転車は、好適な乗降地点の情報を提供できるシステムの要求がより高い。【００４５】
上記乗降地点情報の提供要求に対し、一台一台の車両をセンサとして活用することで収集される膨大なプローブ情報に着目し、車両の乗降に適したポイントを分析抽出し、現在の状況や、条件にあった乗降ポイントを見つけることを可能にした。即ち、データサーバー２は、プローブ車両群４から送信される車両データを入力すると、車両データのうち車両への乗車又は車両からの降車に適した乗降地点を抽出し、乗降地点情報データベースとして更新しながら記憶する。情報端末から乗降地点情報のリクエストを受信すると、乗降地点情報データベースに蓄積された乗降地点情報の中からリクエスト条件に適合する乗降地点を検索し、乗降地点を含む検索結果を情報端末へ送信する乗降地点提供システムを採用した。【００４６】
よって、データサーバー２側において、プローブ車両群４から送信される車両データをデータサーバー２が受信すると、データサーバー２は、車両データのうち車両への乗車又は車両からの降車に適した乗降地点が抽出される。そして、乗降地点として抽出した乗降地点情報により生成される乗降地点情報データベースが、車両データの受信に基づいて更新しながらデータサーバー２に記憶される。【００４７】
ユーザ側において、情報端末からデータサーバー２に対して乗降地点情報のリクエストを送信すると、リクエストを受信したデータサーバー２は、乗降地点情報データベースに蓄積された乗降地点情報の中からリクエスト条件に適合する乗降地点が検索される。そして、乗降地点が検索されると、データサーバー２から情報端末に対して検索された乗降地点を含む検索結果が送信される。つまり、情報端末は、データサーバー２からリクエスト条件に適合する乗降地点を含む検索結果情報を受け取ることになる。【００４８】
このように、走行エリアや条件が異なる不特定多数のプローブ車両群４から送信される車両データに基づいて、リクエスト条件に適合する乗降地点情報を検索するための乗降地点情報データベースを生成している。この結果、情報端末から乗降地点情報のリクエストをすると、乗降したことのないエリアや様々な条件変化にかかわらず、好適な乗降地点の情報を提供することができる。【００４９】
［プローブ車両の送信動作］
図５は、プローブ車両からの乗降データの送信動作を示す。以下、図５に基づいて、プローブ車両の送信動作を説明する。【００５０】
プローブ車両の車速をベース、停止を認識し、所定の時間（例えば、２分程度）以上停止しているかで停車イベントを取得する（S101）。また、乗降が行われたかをもって乗降地点とするため、ドア開閉センサ１０３でドアの開閉があったかを検知する（S102）。また、ドア開閉は運転席以外の開閉とし、運転席のみのドア開閉は乗降地点としては利用しない（S103）。【００５１】
ドア開閉があったイベント地点及び状況を一時保存し、車両のトリップ終了後に、先ほどのイベント地点が、トリップとしての目的地や出発地でないことを判定する（S104）。ここで、例えば、車両がOFF（電源またはエンジン）になり、かつ、OFF時間がある閾値（例えば、３０分程度）以上であるという条件が成立すると、目的地や出発地と判定し、それ以外で条件が成立しないと目的地や出発地でないと判定する。【００５２】
目的地や出発地でないことが判定されると、乗降イベントとなったデータを車両内で一時保存し（S105）、適時通信可能なタイミングでデータサーバー２に対して乗降イベントとなったデータを送信する（S106）。【００５３】
［データサーバーでの乗降情報データベース生成動作］
図６は、プローブ車両群４から乗降データを受信したデータサーバー２での乗降地点情報データベースの生成動作を示す。以下、図６に基づいてデータサーバー２での乗降情報データベース生成動作を説明する。【００５４】
データサーバー２では、プローブ車両群４から送られてきたログデータを保存し（S111）、その保存された乗降データをベースに乗降地点の分析を行う。このとき、一定距離範囲内半径（例えば、10m程度）以内及び走行方向（若しくは車両の向き）が同じ乗降データを同一地点での乗降地点とみなす。そして、乗降データがある一定数以上（例えば、２０回程度）ある地点を分析対象として抽出する（S112）。さらに、抽出した地点のうち、不特定多数の車両が利用しているデータ（乗降回数当たりの半分以上、若しくは、２０台以上が異なる車両）のみに限定して乗降地点とする（S113）。【００５５】
また、法規上停車禁止エリアは除外し、さらに、道路情報のないエリアのデータ（主に私有地と考えられるところ）も除外する（S114）。対象の地点で利用された乗降データをもとに、分析集計することで、各地点での特徴を見つけることができる。各乗降データの日時より、過去の天候情報を取得し、天候情報を付与しておく（S115）。【００５６】
そして、乗降地点ごとに、各種条件ごとの傾向（特徴）を分析し、データベース化して乗降情報データベースを生成する（S116）。ここで、各種条件とは、例えば、各地点の曜日や時間帯での利用傾向の違い、車両の大きさで利用傾向があるか、雨天と雨天以外で利用傾向が変わるか、停車時間の平均時間やその分散度合い、などをいう。さらに、ドアの開閉状況から運転席側も開いているのか、トランク又はバックドアも開いているか、なども含まれる。【００５７】
［情報端末への乗降地点情報提供動作］
図７は、ユーザからのリクエスト入力に基づいてデータサーバー２から送信された乗降地点情報データを受信したときの乗降地点情報の画面表示動作を示す。図８は、受信データによる乗降地点のリスト表示の一例を示す。図９は、受信データによる乗降地点の地図表示の一例を示す。以下、図７〜図９に基づいて情報端末への乗降地点情報提供動作を説明する。【００５８】
ユーザ側からは、車載端末（車載オンボードユニット１）又は携帯端末（モバイル端末器３）から、車両との待ち合わせ場所（車両の乗降地点）の検索を行う。【００５９】
先の待ち合わせ予定の場合（S201でYES）、待ち合わせを想定しているエリアを入力し（S202）、日時を入力し（S203）、車両の大きさなどの車両情報を入力し（S204）、その他の条件入力（S205）をし、データサーバー２にリクエスト送信を行う（S206）。
ここで、「その他の条件入力」とは、必要であれば入力される条件であり、例えば、乗車に時間がかかりそうか、又は、雨でも使いやすいなどの条件をいう。【００６０】
先の待ち合わせ予定ではなく直近の待ち合わせの場合であって（S201でNO）、自分でエリアを決定する場合（S207でNO）、待ち合わせエリアを入力し（S208）、日時を反映し（S209）、利用予定の車両情報を反映する（S210）。そして、必要に応じてその他条件入力（S205）をし、データサーバー２にリクエスト送信を行う（S206）。【００６１】
先の待ち合わせ予定ではなく直近の待ち合わせの場合であって（S201でNO）、車両と待ち合わせの人との位置関係に合わせてエリアを特定する場合（S207でYES）、車両位置とユーザ位置から中間距離又は中間の時間になるエリアをサーバで特定する（S211）。次に日時を反映し（S209）、利用予定の車両情報を反映する（S210）。そして、必要に応じてその他条件入力（S205）をし、データサーバー２にリクエスト送信を行う（S206）。【００６２】
リクエスト送信を受けたデータサーバー２は、その入力エリアや日時情報から、同一の曜日時間帯の乗降地点情報を情報端末に送信する。よって、情報端末は、データサーバー２から乗降地点情報を受信する（S212）。乗降地点情報を受信すると、乗降位置決定か否かを判断し（S213）、乗降位置が決定していないと判断されると、地図表示か否かを判断する（S214）。地図表示であると判断されると、図９の地図表示をし（S215）、乗降位置決定の判断ステップであるS213へ戻る。【００６３】
地図表示でないと判断されると、図８の受信データのリスト表示をし（S216）、ソート操作があるか否かを判断し（S217）、ソート操作があると選択条件毎におすすめ順表示を変更し（S218）、乗降位置決定の判断ステップであるS213へ戻る。なお、ソート操作が無い場合は、そのまま乗降位置決定の判断ステップであるS213へ戻る。【００６４】
一方、S213にて乗車位置が決定されると、そのままエンドへ進む。つまり、乗降地点を決定後は、ナビゲーションでの乗車位置までの案内や、待ち合わせ相手に場所をメールなどで送るなどの選択が可能となる。【００６５】
「リスト表示」では、図８に示すように、例えば、４つのリスト表示枠のそれぞれの左側スペースに乗降地点候補を文字表記する。そして、リスト表示枠のそれぞれの右側スペースにし、停車平均時間をバーで表現する。さらに、多くの車両が利用しているのかどうか、どのドアを開けそうか、利用しやすそうな車両サイズはどの大きさまでか、をアイコン又は文字により表示する。雨のときもよく利用される傘アイコンも追加している。【００６６】
「地図表示」では、図９に示すように、例えば、乗降エリアの地図上に４つの乗降地点候補を時計のようなアイコン表記し、停車平均時間を時計部分に長針角度領域で表現している。さらに、４つの乗降地点候補のアイコン表記の一つを選択してタッチするソート操作を行うことで、詳細な傾向を表示することができる。ここで、詳細な傾向とは、リスト表示と同様に、多くの車両が利用しているのかどうか、どのドアを開けそうか、利用しやすそうな車両サイズはどの大きさまでか、等をいう。【００６７】
［プローブ車両の停車時記録内容に対する処理作用］
プローブ車両の各停車時に記録され、データサーバー２へ送信される乗降データをログデータとして記録する例と、記録したログデータを乗降地として処理する例について説明する。プローブ車両の各停車時におけるログデータを記録する例としては、下記の(A)〜(F)がある。例えば、各停車時のログデータとして、下記(A)〜(F)が互いに関連付けられて記録される。なお、ログデータを乗降地として処理されたデータは、検索結果として情報端末へ送信される。【００６８】
(A)日時
〈記録されるログデータ：日時、時間帯を示すデータ（例えば、朝、昼、夜）〉
乗降地として処理する際は、リクエスト送信に含まれる利用時間帯によって、対応する時間帯に収集されたログデータを抽出する。【００６９】
(B)天気、気温
〈記録されるログデータ：天気を示すデータ（例えば、晴れ、曇り、雨）、気温（例えば、○○℃）〉
乗降地として処理する際は、雨の日に利用された履歴がある場合、雨の日に利用された履歴があることを示す付帯情報を乗降地と関連付けて表示する（例えば、雨をあらわす傘アイコン、晴れをあらわす太陽アイコン等）ためのデータを生成する。【００７０】
(C)停車位置情報
〈記録されるログデータ：停車時の経度及び緯度、ＰＯＩ名称（所定のセル範囲に設定した名称）〉
乗降地として処理する際は、例えば、所定時間以上停車し、かつ、複数車両で利用された停車位置情報（経度及び緯度、または、ＰＯＩ）を乗降地として登録する。【００７１】
(D)車の属性
〈記録されるログデータ：車種名称、タイプ（ＳＵＶ，セダン等）、大きさ、車両種別（商用車、所有車、自動運転車、ロボットタクシー等）〉
乗降地として処理する際は、リクエスト送信に含まれる利用車種に応じて、対応する車種、タイプ、大きさの車両の停車したログデータを抽出する。待ち合わせ・利用車両の種別に応じて、同一若しくは類似の車両の乗降地を優先表示する。【００７２】
(E)停車時間
〈記録されるログデータ：停車までの待ち時間（停車ポイントを含む半径所定範囲に入ってから停車するまでに要した時間）、停車していた時間（停車ポイントに着いてから出発するまで）〉
乗降地として処理する際は、乗降地と関連付けて、停車までの待ち時間（混雑度合い）、停車時間の目安を表示するためのデータを生成する。【００７３】
(F)停車時の車両の動作
〈記録されるログデータ：ドア・トランクの開閉の有無、開閉されたドア・トランクの位置〉
乗降地として処理する際は、乗降地と関連付けて、停車時に開閉されたドアの位置を表示するためのデータを生成する。【００７４】
以上説明したように、実施例１の乗降地点提供システム、データサーバー及び乗降地点提供方法にあっては、下記に列挙する効果を奏する。【００７５】
(1) プローブ車両群４と、データサーバー２と、情報端末（車載オンボードユニット１、モバイル端末器３）と、を備える乗降地点提供システムであって、
データサーバー２は、プローブ車両群４から送信される車両データを入力すると、車両データのうち車両への乗車又は車両からの降車に適した乗降地点を抽出し、乗降地点情報データベースとして更新しながら記憶し、
情報端末（車載オンボードユニット１、モバイル端末器３）から乗降地点情報のリクエストを受信すると、乗降地点情報データベースに蓄積された乗降地点情報の中からリクエスト条件に適合する乗降地点を検索し、乗降地点を含む検索結果を情報端末（車載オンボードユニット１、モバイル端末器３）へ送信する（図１）。
このため、情報端末から乗降地点情報のリクエストをすると、乗降したことのないエリアや様々な条件変化にかかわらず、好適な乗降地点の情報を提供する乗降地点提供システムを提案することができる。【００７６】
(2) プローブ車両群４から送信される車両データを入力するデータサーバー２であって、
プローブ車両群４の車両が停車した際の停車地点を含む乗降データを取得する乗降データ取得部（通信部２０１）と、
乗降データ取得部（通信部２０１）からの乗降データの停車地点に基づき、乗車地点又は降車地点として指定可能な乗降地点を抽出する乗降地点抽出部（乗降地点分析部２０４）と、
乗降地点抽出部（乗降地点分析部２０４）により抽出された乗降地点乗降地点情報データベースとして更新して記憶する乗降地点情報データベース記憶部２０６と、
乗降地点情報のリクエストを受信すると、乗降地点情報データベースを用いて検索された乗降地点を含む検索結果を送信する乗降地点送信部（乗降地点検索部２０７）と、を有する（図３）。
このため、更新して記憶される乗降地点情報データベースに基づく最新の乗降地点情報の検索によって乗降地点候補を取得することが可能であるデータサーバー２を提案することができる。即ち、乗降地点情報データベースは、新たに取得される乗降データを基に乗降地点情報を更新していくため、検索される乗降地点情報は、ある段階での乗降地点ではなく、最新の乗降地点になる。【００７７】
(3) 乗降データは、少なくとも車両が停車をしていた停車時間である停車データを含み、
乗降地点情報データベース記憶部２０６は、停車時間が所定時間より長い場合に、停車データを乗降地点情報データベースに記憶する（図３）。
このため、停車地点として所定の時間以上に停車したことを持って乗降地点として情報更新対象の停車情報とみなすことで、乗降地点としては不適合な停車情報を省くことができる。【００７８】
(4) 乗降データは、少なくとも車両が停車した日時及び、乗車又は降車地点を有する日時/位置情報データを含み、
乗降地点情報データベース記憶部２０６は、日時/位置情報データを乗降地点情報データベースに記憶する（図３）。
このため、曜日や時間帯によって変動する乗降地点の利用状況を基に、乗降地点を検索することができ、現在の日時にあったより利用しやすい乗降地点を検索することができる。【００７９】
(5) 乗降データは、車両が停車をしていた際の天候データを含み、
乗降地点情報データベース記憶部２０６は、天候データを乗降地点情報データベースに記憶し、
検索結果には、乗降地点に関連付けられた天候データが含まれる（図３）。
このため、データ取得当時の天気情報を加えることで、雨などの天候による利用傾向変化に対応することができ、現在の天候にあった乗降地点を検索することができる。さらに、利用されやすい天候情報を提供することができ、これにより天候条件により利用が増えるのか減るのかがわかる情報提供を行うことができる。【００８０】
(6) 検索結果は、乗降地点の停車データに応じた停車時間レベルを視覚的に示す情報を含む（図８）。
このため、乗降地点候補の表示として、停車時間をレベル表示することで、停車がしやすい場所なのか、乗降のみですぐに動かなければいけない場所なのかを簡便に理解することができる。【００８１】
(7) 乗降データは、車両が停車をしていた際に開閉したドアの位置又は開閉時間に関するドア開閉データを含み、
乗降地点情報データベース記憶部２０６は、ドア開閉データを乗降地点情報データベースに記憶する（図３）。なお、開閉したドアの位置とは、少なくとも開放したドアの位置であればよく、ドアを一旦開放し、その後閉塞したドアの位置であってもよい。ドアの開閉時間とは、少なくともドアを開放していた時間であり、ドアの解放を検知したときからドアの閉塞を検知するまでの時間であってもよい。
このため、停車時のドア開閉の状態や開閉されているドアの位置を含めることで、荷物の出し入れがしやすいのか、運転席側のドアも開きやすい場所なのかを含めて乗降地点を検索または理解することができる。【００８２】
(8) 乗降データは、停車した車両の属性に関する情報である属性データを含み、
乗降地点送信部（乗降地点検索部２０７）は、乗降地点候補が複数ある場合、車両の属性データを参照し、配車予定の車両よりもサイズの小さい車両しか停車していない乗降地点を、乗降地点候補として含めることなく、検索結果を送信する（図８）。
このため、停車データとして車両のサイズを含めて乗降地点の分析を行うことで、車両のサイズに特徴のある、例えば、大型車は止まらない場所などを調べることができ、現在の車両サイズに合わせた適切な乗降地点候補情報を提供することができる。【００８３】
(9) プローブ車両群４と、データサーバー２と、情報端末（車載オンボードユニット１、モバイル端末器３）と、の間での通信による乗降地点提供方法であって、
プローブ車両群４から送信される車両データをデータサーバー２が受信すると、データサーバー２は、車両データのうち車両への乗車又は車両からの降車に適した乗降地点を抽出し、
乗降地点として抽出された情報により生成した乗降地点情報データベースを、データサーバー２に更新しながら記憶し、
情報端末（車載オンボードユニット１、モバイル端末器３）からデータサーバー２に対して乗降地点情報のリクエストを送信すると、リクエストを受信したデータサーバー２は、乗降地点情報データベースに蓄積された乗降地点情報の中からリクエスト条件に適合する乗降地点を検索し、
乗降地点が検索されると、データサーバー２から情報端末（車載オンボードユニット１、モバイル端末器３）に対して検索された乗降地点を含む検索結果を送信する（図７）。
このため、情報端末から乗降地点情報のリクエストをすると、乗降したことのないエリアや様々な条件変化にかかわらず、好適な乗降地点の情報を提供する乗降地点提供方法を提案することができる。【００８４】
以上、本開示の乗降地点提供システム、データサーバー及び乗降地点提供方法を実施例１に基づき説明してきた。しかし、具体的な構成については、この実施例１に限られるものではなく、請求の範囲の各請求項に係る発明の要旨を逸脱しない限り、設計の変更や追加等は許容される。【００８５】
実施例１では、本開示の乗降地点提供システム、データサーバー及び乗降地点提供方法を、一台一台の車両をセンサとして活用することで膨大なプローブ情報を収集し、様々な情報の共有を可能とするプローブ情報システムの一部として組み込まれている適用例を示した。しかし、本開示の乗降地点提供システム、データサーバー及び乗降地点提供方法は、プローブ情報を用いるシステムであれば、乗降イベント情報を取り込む乗降地点提供専用のデータサーバーを備えるシステムに対しても適用することができる。
【図１】
2020079746.tif 000003
【図２】
2020079746.tif 000004
【図３】
2020079746.tif 000005
【図４】
2020079746.tif 000006
【図５】
2020079746.tif 000007
【図６】
2020079746.tif 000008
【図７】
2020079746.tif 000009
【図８】
2020079746.tif 000010
【図９】
2020079746.tif 000011
【手続補正書】
【提出日】平成31年4月9日(2019.4.9)
【手続補正１】
【補正対象書類名】特許請求の範囲
【補正対象項目名】全文
【補正方法】変更
【補正の内容】
【特許請求の範囲】
【請求項１】
プローブ車両群と、データサーバーと、情報端末と、を備える乗降地点提供システムであって、
前記データサーバーは、前記プローブ車両群から送信される車両データを入力すると、前記車両データのうち車両への乗車又は車両からの降車に適した乗降地点を抽出し、
前記乗降地点ごとに、停車日時または時間帯に関するデータ、停車時の天候、停車した車両の属性の少なくともいずれか１つの利用条件情報を関連付け、乗降地点情報データベースとして更新しながら記憶し、
前記情報端末から乗降地点情報のリクエストを受信すると、前記乗降地点情報データベースに蓄積された乗降地点情報の中からリクエスト条件に適合する乗降地点を検索し、前記乗降地点と共に前記乗降地点に関連付けられた前記利用条件情報を検索結果として前記情報端末へ送信する
ことを特徴とする乗降地点提供システム。
【請求項２】
プローブ車両群から送信される車両データを入力するデータサーバーであって、
前記プローブ車両群の車両が停車した際の停車地点を含む乗降データを取得する乗降データ取得部と、
前記乗降データ取得部からの乗降データの停車地点に基づき、乗車地点又は降車地点として指定可能な乗降地点を抽出する乗降地点抽出部と、
前記乗降地点抽出部により抽出された前記乗降地点及び前記乗降地点ごとに、停車日時または時間帯に関するデータ、停車時の天候、停車した車両の属性の少なくともいずれか１つの利用条件情報を関連付け、乗降地点情報データベースとして更新して記憶する乗降地点情報データベース記憶部と、
前記乗降地点情報のリクエストを受信すると、前記乗降地点情報データベースを用いて検索された乗降地点と共に前記乗降地点に関連付けられた前記利用条件情報を検索結果として送信する乗降地点送信部と、を有する
ことを特徴とするデータサーバー。
【請求項３】
請求項２に記載されたデータサーバーにおいて、
前記乗降データは、少なくとも車両が停車をしていた停車時間である停車データを含み、
前記乗降地点情報データベース記憶部は、前記停車時間が所定時間より長い場合に、前記停車データを乗降地点情報データベースに記憶する
ことを特徴とするデータサーバー。
【請求項４】
請求項３に記載されたデータサーバーにおいて、
前記乗降データは、少なくとも車両が停車した日時及び、乗車又は降車地点を有する日時／位置情報データを含み、
前記乗降地点情報データベース記憶部は、前記日時／位置情報データを乗降地点情報データベースに記憶する
ことを特徴とするデータサーバー。
【請求項５】
請求項４に記載されたデータサーバーにおいて、
前記乗降データは、車両が停車をしていた際の天候データを含み、
前記乗降地点情報データベース記憶部は、前記天候データを乗降地点情報データベースに記憶し、
前記検索結果には、前記乗降地点に関連付けられた前記天候データが含まれる
ことを特徴とするデータサーバー。
【請求項６】
請求項３から５までの何れか一項に記載されたデータサーバーにおいて、
前記検索結果は、前記乗降地点の前記停車データに応じた停車時間レベルを視覚的に示す情報を含む
ことを特徴とするデータサーバー。
【請求項７】
請求項３から６までの何れか一項に記載されたデータサーバーにおいて、
前記乗降データは、車両が停車をしていた際に開閉したドアまたはトランクの位置又は開閉時間に関するドア開閉データを含み、
前記乗降地点情報データベース記憶部は、前記ドア開閉データを乗降地点情報データベースに記憶する
ことを特徴とするデータサーバー。
【請求項８】
請求項２から７までの何れか一項に記載されたデータサーバーにおいて、
前記乗降データは、停車した車両の属性に関する情報である属性データを含み、
前記乗降地点送信部は、前記乗降地点及び前記利用条件情報を前記リクエストに含まれる利用車両の属性情報に応じて選択し、検索結果として送信する
ことを特徴とするデータサーバー。
【請求項９】
プローブ車両群と、データサーバーと、情報端末と、の間での通信による乗降地点提供方法であって、
前記プローブ車両群から送信される車両データを前記データサーバーが受信すると、前記データサーバーは、車両データのうち車両への乗車又は車両からの降車に適した乗降地点を抽出し、
前記乗降地点として抽出された情報及び前記乗降地点に関連付けられた停車日時または時間帯に関するデータ、停車時の天候、停車した車両の属性の少なくともいずれか１つの利用条件情報により生成した乗降地点情報データベースを、前記データサーバーに更新しながら記憶し、
前記情報端末から前記データサーバーに対して乗降地点情報のリクエストを送信すると、リクエストを受信した前記データサーバーは、前記乗降地点情報データベースに蓄積された乗降地点情報の中からリクエスト条件に適合する乗降地点を検索し、
前記乗降地点が検索されると、前記データサーバーから前記情報端末に対して検索された前記乗降地点と共に前記乗降地点に関連付けられた前記利用条件情報を検索結果として送信する
ことを特徴とする乗降地点提供方法。
【手続補正２】
【補正対象書類名】明細書
【補正対象項目名】０００２
【補正方法】変更
【補正の内容】
【０００２】
課題を解決するための手段
［０００６］
上記目的を達成するため、本開示は、プローブ車両群と、データサーバーと、情報端末と、を備える乗降地点提供システムである。
データサーバーは、プローブ車両群から送信される車両データを入力すると、車両への乗車又は車両からの降車に適した乗降地点を抽出する。
乗降地点ごとに、停車日時または時間帯に関するデータ、停車時の天候、停車した車両の属性の少なくともいずれか１つの利用条件情報を関連付け、乗降地点情報データベースとして更新しながら記憶する。
情報端末から乗降地点情報のリクエストを受信すると、乗降地点情報データベースに蓄積された乗降地点情報の中からリクエスト条件に適合する乗降地点を検索し、乗降地点と共に乗降地点に関連付けられた利用条件情報を検索結果として情報端末へ送信する。
発明の効果
［０００７］
このため、情報端末から乗降地点情報のリクエストをすると、乗降したことのないエリアや様々な条件変化にかかわらず、好適な乗降地点の情報を提供することができる。
図面の簡単な説明
［０００８］
［図１］実施例１の乗降地点提供システム、データサーバー及び乗降地点提供方法が適用されたシステム全体構成を示すシステム構成概要図である。
［図２］乗降地点提供システムにおける車載オンボードユニットの構成を示すブロック図である。
［図３］乗降地点提供システムにおけるデータサーバーの構成を示すブロック図である。
［図４］乗降地点提供システムにおけるモバイル端末の構成を示すブロック図である。
［図５］プローブ車両からの乗降データの送信動作を示す動作フロー図である。
［図６］プローブ車両群から乗降データを受信したデータサーバーでの乗降地点情報データベースの生成動作を示す動作フロー図である。
［図７］ユーザからのリクエスト入力に基づいてデータサーバーから送信された乗降地点情報データを受信したときの乗降地点情報の画面表示動作を示す動作フロー図である。
【手続補正書】
【提出日】令和1年9月13日(2019.9.13)
【手続補正１】
【補正対象書類名】特許請求の範囲
【補正対象項目名】全文
【補正方法】変更
【補正の内容】
【特許請求の範囲】
【請求項１】
プローブ車両群と、データサーバーと、情報端末と、を備える乗降地点提供システムであって、
前記データサーバーは、
前記プローブ車両群から送信される車両データのうち、車両が停止した後、乗員数の変更があった前記車両データを乗降データとし、
前記プローブ車両群から送信される前記乗降データを入力すると、前記乗降データのうち車両への乗車又は車両からの降車に適した乗降地点を抽出し、
抽出された前記乗降地点の情報を、乗降地点情報データベースとして更新しながら記憶し、
前記情報端末から乗降地点情報のリクエストを受信すると、前記乗降地点情報データベースに蓄積された前記乗降地点の情報の中からリクエスト条件に適合する乗降地点を検索し、前記乗降地点を含む検索結果を前記情報端末へ送信する
ことを特徴とする乗降地点提供システム。
【請求項２】
請求項１に記載された乗降地点提供システムにおいて、
前記情報端末は、前記車両の利用者が携帯する情報端末であり、
前記データサーバーは、前記乗降データに基づいて生成された前記乗降地点及び前記乗降地点で前記プローブ車両群の車両が停車していた際に開閉したドアの位置を含む検索結果を前記情報端末へ送信する
ことを特徴とする乗降地点提供システム。
【請求項３】
プローブ車両群から送信される車両データを入力するデータサーバーであって、
前記プローブ車両群の車両が停車した後、乗員数の変更があった前記車両データを乗降データとして取得する乗降データ取得部と、
前記乗降データ取得部からの乗降データの停車地点に基づき、乗車地点又は降車地点として指定可能な乗降地点を抽出する乗降地点抽出部と、
前記乗降地点抽出部により抽出された前記乗降地点を乗降地点情報データベースとして更新して記憶する乗降地点情報データベース記憶部と、
前記乗降地点情報のリクエストを受信すると、前記乗降地点情報データベースを用いて検索された乗降地点を含む検索結果を送信する乗降地点送信部と、を有する
ことを特徴とするデータサーバー。
【請求項４】
請求項３に記載されたデータサーバーにおいて、
前記乗降データは、少なくとも車両が停車をしていた停車時間である停車データを含み、
前記乗降地点情報データベース記憶部は、前記停車時間が所定時間より長い場合に、前記停車データを乗降地点情報データベースに記憶する
ことを特徴とするデータサーバー。
【請求項５】
請求項４に記載されたデータサーバーにおいて、
前記乗降データは、少なくとも車両が停車した日時及び、乗車又は降車地点を有する日時／位置情報データを含み、
前記乗降地点情報データベース記憶部は、前記日時／位置情報データを乗降地点情報データベースに記憶する
ことを特徴とするデータサーバー。
【請求項６】
請求項５に記載されたデータサーバーにおいて、
前記乗降データは、車両が停車をしていた際の天候データを含み、
前記乗降地点情報データベース記憶部は、前記天候データを乗降地点情報データベースに記憶し、
前記検索結果には、前記乗降地点に関連付けられた前記天候データが含まれる
ことを特徴とするデータサーバー。
【請求項７】
請求項４から６までの何れか一項に記載されたデータサーバーにおいて、
前記検索結果は、前記乗降地点の前記停車データに応じた停車時間レベルを視覚的に示す情報を含む
ことを特徴とするデータサーバー。
【請求項８】
請求項３から７までの何れか一項に記載されたデータサーバーにおいて、
前記乗降データは、車両が停車をしていた際に開閉したドアまたはトランクの位置又は開閉時間に関するドア開閉データを含み、
前記乗降地点情報データベース記憶部は、前記ドア開閉データを乗降地点情報データベースに記憶する
ことを特徴とするデータサーバー。
【請求項９】
請求項２から８までの何れか一項に記載されたデータサーバーにおいて、
前記乗降データは、停車した車両の属性に関する情報である属性データを含み、
前記乗降地点送信部は、前記乗降地点及び前記利用条件情報を前記リクエストに含まれる利用車両の属性情報に応じて選択し、検索結果として送信する
ことを特徴とするデータサーバー。
【請求項１０】
プローブ車両群と、データサーバーと、情報端末と、の間での通信による乗降地点提供方法であって、
前記プローブ車両群から送信される車両データのうち、車両が停止した後、乗員数の変更があった前記車両データを乗降データとし、
前記プローブ車両群から送信される前記乗降データを前記データサーバーが受信すると、前記データサーバーは、前記乗降データのうち車両への乗車又は車両からの降車に適した乗降地点を抽出し、
前記乗降地点として抽出された情報により生成した乗降地点情報データベースを、前記データサーバーに更新しながら記憶し、
前記情報端末から前記データサーバーに対して乗降地点情報のリクエストを送信すると、リクエストを受信した前記データサーバーは、前記乗降地点情報データベースに蓄積された乗降地点情報の中からリクエスト条件に適合する乗降地点を検索し、
前記乗降地点が検索されると、前記データサーバーから前記情報端末に対して検索された前記乗降地点を含む検索結果を送信する
ことを特徴とする乗降地点提供方法。
【手続補正２】
【補正対象書類名】明細書
【補正対象項目名】０００２
【補正方法】変更
【補正の内容】
【０００２】
課題を解決するための手段
［０００６］
上記目的を達成するため、本開示は、プローブ車両群と、データサーバーと、情報端末と、を備える乗降地点提供システムである。
データサーバーは、
プローブ車両群から送信される車両データのうち、車両が停止した後、乗員数の変更があった車両データを乗降データとする。
プローブ車両群から送信される乗降データを入力すると、乗降データのうち車両への乗車又は車両からの降車に適した乗降地点を抽出する。
抽出された乗降地点の情報を、乗降地点情報データベースとして更新しながら記憶する。情報端末から乗降地点情報のリクエストを受信すると、乗降地点情報データベースに蓄積された乗降地点の情報の中からリクエスト条件に適合する乗降地点を検索し、乗降地点を含む検索結果を情報端末へ送信する。
発明の効果
［０００７］
このため、情報端末から乗降地点情報のリクエストをすると、乗降したことのないエリアや様々な条件変化にかかわらず、好適な乗降地点の情報を提供することができる。
図面の簡単な説明
［０００８］
［図１］実施例１の乗降地点提供システム、データサーバー及び乗降地点提供方法が適用されたシステム全体構成を示すシステム構成概要図である。
［図２］乗降地点提供システムにおける車載オンボードユニットの構成を示すブロック図である。
［図３］乗降地点提供システムにおけるデータサーバーの構成を示すブロック図である。
［図４］乗降地点提供システムにおけるモバイル端末の構成を示すブロック図である。
［図５］プローブ車両からの乗降データの送信動作を示す動作フロー図である。
［図６］プローブ車両群から乗降データを受信したデータサーバーでの乗降地点情報データベースの生成動作を示す動作フロー図である。
［図７］ユーザからのリクエスト入力に基づいてデータサーバーから送信された乗降地点情報データを受信したときの乗降地点情報の画面表示動作を示す動作フロー図である。
【手続補正書】
【提出日】令和3年1月22日(2021.1.22)
【手続補正１】
【補正対象書類名】特許請求の範囲
【補正対象項目名】全文
【補正方法】変更
【補正の内容】
【特許請求の範囲】
【請求項１】
プローブ車両群と、データサーバーと、情報端末と、を備える乗降地点提供システムであって、
前記データサーバーは、前記プローブ車両群から送信される車両が停車した際の停車地点及び停車した車両の属性に関する情報である属性データを含む車両データを入力すると、前記車両データのうち車両への乗車又は車両からの降車に適した乗降地点を抽出し、乗降地点情報データベースとして更新しながら記憶し、
前記情報端末から乗降地点情報のリクエストを受信すると、前記乗降地点情報データベースに蓄積された乗降地点情報の中から前記車両の属性データに含む車両の大きさ、又は車両種別、又はタイプに基づいてリクエスト条件に適合する乗降地点を検索し、前記乗降地点を含む検索結果を前記情報端末へ送信することを特徴とする乗降地点提供システム。
【請求項２】
プローブ車両群から送信される車両データを入力するデータサーバーであって、
前記プローブ車両群の車両が停車した際の停車地点及び停車した車両の属性に関する情報である属性データを含む乗降データを取得する乗降データ取得部と、
前記乗降データ取得部からの乗降データの停車地点に基づき、乗車地点又は降車地点として指定可能な乗降地点を抽出する乗降地点抽出部と、
前記乗降地点抽出部により抽出された前記乗降地点を乗降地点情報データベースとして更新して記憶する乗降地点情報データベース記憶部と、
前記乗降地点情報のリクエストを受信すると、前記乗降地点情報データベースを用いて、前記車両の属性データに含む車両の大きさ、又は車両種別、又はタイプに基づいて検索された乗降地点を含む検索結果を送信する乗降地点送信部と、を有することを特徴とするデータサーバー。
【請求項３】
請求項２に記載されたデータサーバーにおいて、
前記乗降地点送信部は、配車予定の車両の種別に応じて、同一若しくは類似の車両の乗降地を優先表示するように、前記検索結果を送信することを特徴とするデータサーバー。
【請求項４】
請求項２又は３に記載されたデータサーバーにおいて、
前記検索結果は、前記乗降地点で停車した車両の前記属性データを含むことを特徴とするデータサーバー。
【請求項５】
請求項２から４までの何れか一項に記載されたデータサーバーにおいて、
前記乗降データは、少なくとも車両が停車をしていた停車時間である停車データを含み、
前記乗降地点情報データベース記憶部は、前記停車時間が所定時間より長い場合に、前記停車データを乗降地点情報データベースに記憶することを特徴とするデータサーバー。
【請求項６】
請求項５に記載されたデータサーバーにおいて、
前記乗降データは、少なくとも車両が停車した日時及び、乗車又は降車地点を有する日時/位置情報データを含み、
前記乗降地点情報データベース記憶部は、前記日時/位置情報データを乗降地点情報データベースに記憶することを特徴とするデータサーバー。
【請求項７】
請求項６に記載されたデータサーバーにおいて、
前記乗降データは、車両が停車をしていた際の天候データを含み、
前記乗降地点情報データベース記憶部は、前記天候データを乗降地点情報データベースに記憶し、
前記検索結果には、前記乗降地点に関連付けられた前記天候データが含まれることを特徴とするデータサーバー。
【請求項８】
請求項５から７までの何れか一項に記載されたデータサーバーにおいて、
前記検索結果は、前記乗降地点の前記停車データに応じた停車時間レベルを視覚的に示す情報を含むことを特徴とするデータサーバー。
【請求項９】
請求項５から８までの何れか一項に記載されたデータサーバーにおいて、
前記乗降データは、車両が停車をしていた際に開閉したドアの位置又は開閉時間に関するドア開閉データを含み、
前記乗降地点情報データベース記憶部は、前記ドア開閉データを乗降地点情報データベースに記憶することを特徴とするデータサーバー。
【請求項１０】
請求項５から９までの何れか一項に記載されたデータサーバーにおいて、
前記乗降地点送信部は、前記乗降地点候補が複数ある場合、前記車両の属性データを参照し、配車予定の車両よりもサイズの小さい車両しか停車していない乗降地点を、前記乗降地点候補として含めることなく、前記検索結果を送信することを特徴とするデータサーバー。
【請求項１１】
プローブ車両群と、データサーバーと、情報端末と、の間での通信による乗降地点提供方法であって、
前記プローブ車両群から送信される車両が停車した際の停車地点及び停車した車両の属性に関する情報である属性データを含む車両データを前記データサーバーが受信すると、前記データサーバーは、車両データのうち車両への乗車又は車両からの降車に適した乗降地点を抽出し、
前記乗降地点として抽出された情報により生成した乗降地点情報データベースを、前記データサーバーに更新しながら記憶し、
前記情報端末から前記データサーバーに対して乗降地点情報のリクエストを送信すると、リクエストを受信した前記データサーバーは、前記乗降地点情報データベースに蓄積された乗降地点情報の中から前記車両の属性データに含む車両の大きさ、又は車両種別、又はタイプに基づいてリクエスト条件に適合する乗降地点を検索し、
前記乗降地点が検索されると、前記データサーバーから前記情報端末に対して検索された前記乗降地点を含む検索結果を送信することを特徴とする乗降地点提供方法。
【手続補正２】
【補正対象書類名】明細書
【補正対象項目名】０００６
【補正方法】変更
【補正の内容】
【０００６】
上記目的を達成するため、本開示は、プローブ車両群と、データサーバーと、情報端末と、を備える乗降地点提供システムである。
データサーバーは、プローブ車両群から送信される車両が停車した際の停車地点及び停車した車両の属性に関する情報である属性データを含む車両データを入力すると、車両データのうち車両への乗車又は車両からの降車に適した乗降地点を抽出し、乗降地点情報データベースとして更新しながら記憶する。
情報端末から乗降地点情報のリクエストを受信すると、乗降地点情報データベースに蓄積された乗降地点情報の中から車両の属性データに含む車両の大きさ、又は車両種別、又はタイプに基づいてリクエスト条件に適合する乗降地点を検索し、乗降地点を含む検索結果を情報端末へ送信する。
【手続補正３】
【補正対象書類名】明細書
【補正対象項目名】０００７
【補正方法】変更
【補正の内容】
【０００７】
このため、情報端末から乗降地点情報のリクエストをすると、車両の属性データに含む車両の大きさ、又は車両種別、又はタイプに基づいてリクエスト条件に適合する乗降地点が検索され、乗降したことのないエリアや様々な条件変化にかかわらず、好適な乗降地点の情報を提供することができる。
【国際調査報告】
2020079746.tif 000012
2020079746.tif 000013
2020079746.tif 000014
2020079746.tif 000015